(57)【要約】【課題】多彩なバリエーションにて大量に市場供給されるロッド製品の中から、希望する製品を簡単に検索、抽出することができ、各種のシミュレーションを行えるように構成することにより、性能等を事前に確認、検証することができるロッド製品用電子カタログを提供する。【解決手段】ロッド製品に関する大量の電子データが収録された製品データベースＡと、製品データベースＡの中から必要な電子データを検索、抽出する検索プログラムＢと、抽出されたロッド製品のシミュレーションイメージをコンピュータの画面上に表示する表示プログラムＣとを有していることを特徴とする。【選択図】  図１
2004164057.tif 000002
【特許請求の範囲】
【請求項１】
ロッド製品に関する電子データが収録された製品データベースと、
前記製品データベースの中から必要な電子データを検索、抽出するための検索プログラムと、
前記検索プログラムを実行することによって抽出されたロッド製品のイメージ、及び／又は、シミュレーションイメージをコンピュータの画面上に表示する表示プログラムとを有していることを特徴とする、ロッド製品用電子カタログ。
【請求項２】
前記表示プログラムは、複数のロッド製品のイメージ及び／又はシミュレーションイメージを、画面上に同時に表示することができるように構成されていることを特徴とする、請求項１に記載のロッド製品用電子カタログ。
【請求項３】
ロッド製品に関する電子データが収録され、サーバー側において保存された製品データベースと、
コンピュータネットワークを介して接続されたコンピュータ端末に対し、検索条件の入力及び送信を促し、これに応じて端末側より送信された検索条件に基づいて、前記製品データベースの中から必要な電子データを検索、抽出する検索プログラムと、
前記検索プログラムの実行により抽出された製品の詳細データをもとに製品のイメージ、及び／又は、シミュレーションイメージを作成し、それらをコンピュータ端末へ送信して表示させ、顧客等から表示条件の変更を受け付けて各種のシミュレーションを行えるように構成された表示プログラムとを有していることを特徴とする、ロッド製品用オンライン電子カタログシステム。
【発明の詳細な説明】
【０００１】
【発明の属する技術分野】
本発明は、釣り竿やゴルフクラブなどのロッド製品に関する電子データを大量に収録し、それらのロッド製品に関する詳細データの閲覧、及び、各種シミュレーションを簡単に実行することができるロッド製品用電子カタログに関する。
【０００２】
【従来の技術】
釣り竿やゴルフクラブなどのロッド製品が購入される際には、弾性力（撓り具合）、強度、重量、撓り具合等の要素が重視されるが、これらの要素は、使う者によって好みの幅が極めて広いため、ロッド製品を製造する各メーカーでは、そのような多様な需要に応えるべく、実に様々なバリエーションにて製品を市場に供給している。
【０００３】
但し、いくら数多くの種類の製品が製造されているとしても、一つの店舗に陳列することができる製品の数には限界があるため、製品を購入しようとする顧客等においては、必ずしも希望する製品を店頭で入手できるとは限らない。従って、顧客等は、メーカーによって制作された製品カタログ等を参照して、希望する製品を探さなくてはならない場合も多い。
【０００４】
【発明が解決しようとする課題】
しかし、製品カタログを見ただけでは、そこに紹介されている製品が、顧客等の希望に適うものであるかどうかを判断することは困難である場合が多い。ロッド製品は、購入に際して弾性力、強度、撓り具合等が重視されるものであるところ、製品カタログにおいては、それらの要素は、数値、抽象的な文章、撓り具合の一例を示す曲線グラフ（静止画像）によって表現されており、数値、抽象的な文章、或いは、静止画像の曲線グラフのみによっては、その製品の実際の性能等を的確に伝えることはできないからである。
【０００５】
本発明は、上記のような従来技術の問題を解決すべくなされたものであって、多彩なバリエーションにて大量に市場供給されるロッド製品の中から、顧客等において希望する製品を簡単に検索、抽出することができ、しかも、各種のシミュレーションを行えるように構成することによって、それらの製品の性能等を、購入前に事前に確認、検証することができるという、ロッド製品用電子カタログを提供することを目的とする。
【０００６】
【課題を解決するための手段】
本発明の請求項１に係るロッド製品用電子カタログは、コンピュータ読み取り可能な記憶媒体（例えば、コンパクトディスク）にて、或いは、コンピュータネットワークを介して提供されるソフトウェア（プログラム）であり、この発明の実施者であるロッド製品の販売者より、顧客等に配布され、顧客等の使用するコンピュータ（端末）に導入されて使用されるものであり、ロッド製品に関する電子データが収録された製品データベースＡと、その製品データベースＡの中から必要な電子データを検索、抽出するための検索プログラムＢと、検索プログラムＢを実行することによって抽出されたロッド製品のイメージ、及び／又は、シミュレーションイメージをコンピュータの画面上に表示する表示プログラムＣとを有していることを特徴としている。
【０００７】
尚、表示プログラムＣは、複数のロッド製品のイメージ及び／又はシミュレーションイメージを、画面上に同時に表示することができるように構成されていることが好ましい。
【０００８】
また、本発明の請求項３に係るロッド製品用オンライン電子カタログシステムは、顧客等が使用する端末から、コンピュータネットワークを介してアクセスすることができるサーバー（販売者のコンピュータ等）に導入されるシステムとして構成されるものであって、ロッド製品に関する電子データが収録された製品データベースＡと、コンピュータネットワークを介して接続された顧客等のコンピュータ端末に対し、検索条件の入力及び送信を促し、これに応じて顧客等のコンピュータ端末より送信された検索条件に基づいて、製品データベースＡの中から必要な電子データを検索、抽出する検索プログラムＢと、この検索プログラムＢの実行により抽出された製品の詳細データをもとに製品のイメージ、及び／又は、シミュレーションイメージを作成し、それらを顧客等のコンピュータ端末へ送信して表示させ、顧客等から表示条件の変更を受け付けて各種のシミュレーションを行えるように構成された表示プログラムＣとを有していることを特徴としている。
【０００９】
【発明の実施の形態】
以下、本発明の好適な実施形態について説明する。まず、本発明の第１の実施形態として、釣り竿の電子カタログについて説明する。尚、本実施形態における電子カタログは、コンピュータ読み取り可能な記憶媒体（例えば、コンパクトディスク）にて、或いは、コンピュータネットワークを介して提供されるソフトウェア（プログラム）であり、この発明の実施者である釣り竿の販売者より、顧客等に配布され、顧客等の使用するコンピュータに導入されて使用されるものである。
【００１０】
本実施形態における電子カタログには、製品データベースＡと、検索プログラムＢと、表示プログラムＣが含まれている。これらのうち、製品データベースＡは、販売者より提供される釣り竿に関する大量の電子データが収録されたものであり、検索プログラムＢは、製品データベースＡの中から必要な電子データを検索、抽出するためのプログラムであり、表示プログラムＣは、検索プログラムＢによって抽出された電子データを基礎として、コンピュータの画面上に、釣り竿のイメージ及びシミュレーションイメージを表示するプログラムである。以下、これらについて、それぞれ詳細に説明する。
【００１１】
（製品データベースＡ）
製品データベースＡには、製品コード、名称、ジャンル（磯釣り、船釣り、投げ釣り、渓流釣り、鮎釣り、へらブナ釣り、バス釣り等）、対象魚名、寸法（全長、竿元径、竿先径、継ぎ数、仕舞い寸法等）、重量、最大荷重、材質、調子、製品の説明文、外観の写真、適合する使用者の体格、価格等の詳細データが、製品毎に収録されている。
【００１２】
（検索プログラムＢ）
本実施形態に係る電子カタログが起動されると、まず、検索プログラムＢが実行される。検索プログラムＢにおいては、顧客等より検索条件の入力を受け付け、入力された検索条件にマッチした釣り竿に関する詳細データを、製品データベースＡの中から検索、抽出できるようになっている。
【００１３】
検索条件の入力は、検索項目（製品コード、名称、ジャンル、対象魚名、寸法等）の指定、及び、項目値の入力又は選択によって行われる。例えば、顧客等において閲覧を希望する釣り竿の「製品コード」（或いは「名称」）が既に分かっている場合には、検索項目のフィールドにおいて、選択肢の中から「製品コード」（或いは「名称」）を選択、指定し、項目値のフィールドに、その製品コード（或いは名称）を入力する。
【００１４】
一方、「製品コード」や「名称」等、製品を個別に特定する情報が分かっていない場合には、希望する条件（検索項目及びその項目値）を具体的に入力する。例えば、「磯釣り」に使用する全長４〜５ｍ程度の釣り竿を希望する場合、検索項目の第１フィールドにおいて、選択肢の中から「ジャンル」を選択、指定し、項目値の第１フィールドに、「磯釣り」と入力し、検索項目の第２フィールドにおいて、「寸法／全長」を選択、指定し、項目値の第２フィールドに、「４〜５ｍ」と入力する。
【００１５】
検索条件が入力された後、検索実行ボタンがクリックされると、検索プログラムＢによって検索が実行され、入力された検索条件にマッチする釣り竿の詳細データが抽出され、コンピュータの画面上にその釣り竿の名称の一覧が表示される。尚、検索条件にマッチする製品が存在しない場合には、その旨のメッセージが画面上に表示される。
【００１６】
（表示プログラムＣ）
検索プログラムＢの実行によって、少なくとも一つの釣り竿がヒットし、その名称の一覧が画面上に表示されている場合において、それらのうち、いずれか一つの「製品の名称」が選択（クリック）されると、表示プログラムＣが実行される。表示プログラムＣは、選択された釣り竿の説明文、外観の写真、性能等、その製品に関する詳細データとして製品データベースＡに収録されている情報をコンピュータの画面上に表示するほか、それらの詳細データに基づいて算出された表示用データを用いて、選択された釣り竿のシミュレーションイメージを表示する。
【００１７】
尚、シミュレーションイメージを表示させるための表示用データは、竿尻から竿先にかけて所定間隔（例えば、１０ｍｍ間隔）をおいて設定された多数の仮想ポイント毎に計算された弾性率及び強度のデータ、全長等の詳細データに基づいて算出される。
【００１８】
具体的には、画面上に、ＸＹ座標と４つの曲線グラフが表示される（図１参照）。これら４つの曲線グラフはいずれも、選択された釣り竿の撓り具合（様々な条件の下での撓り具合）を表現したものであり、１つめの曲線グラフ（第１イメージＲ１）は、基本状態（初期負荷がかかっている状態）をシミュレートし、他の曲線グラフ（第２イメージＲ２、第３イメージＲ３、及び、第４イメージＲ４）は、それぞれ負荷が変動した場合の竿の撓り具合をシミュレートしている。
【００１９】
画面に表示されているこれら４つのイメージは、表示条件を変更することによって変化させることができ、設計された釣り竿の調子、撓り具合、耐荷重等に関し、多彩なシミュレーションを実行することができるようになっている。
【００２０】
例えば、竿に作用する負荷を１０ｇ単位で増減させることができるほか、負荷の作用する方向（竿先の鉛直下方向、前方１０°の方向、手前側１５°の方向など）や、竿の角度（竿尻とグリップ位置を結ぶ仮想直線の仰角或いは俯角）を指定できるようになっている。
【００２１】
そして、表示条件が変更された場合、速やかに表示用データが再計算され、その新たに算出された表示用データに基づいて、新たなイメージが順次画面上に表示されることになる。
【００２２】
また、設計された釣り竿を用いて特定の動作（誘い釣りのアクション、いわゆる「シャクリ」と呼ばれるアクション、「ジャーク」と呼ばれるアクション）を行った場合のシミュレーションイメージを、アニメーション表示させることもできる。
【００２３】
尚、負荷の値について表示条件を変更する際、入力された負荷の値に対して、竿の強度が不足している場合（実際に、その値の負荷をかけると、ある箇所で竿が折れてしまうような場合）、画面上には、強度が不足している旨のメッセージが表示されるとともに、その「折れるであろうと予測される位置」に、「×印」が表示されるようになっている。
【００２４】
また、本実施形態においては、複数の製品に関する詳細データ等を、一つの画面上において同時に表示させることもできるようになっている。例えば、一つの製品（釣り竿１）に関する詳細データ、及び、シミュレーションイメージを画面に表示させた状態で、前回の検索の結果、画面上に表示されている製品名称の一覧の中から他の製品（釣り竿２）の詳細データ及びシミュレーションイメージ、或いは、新たに検索プログラムＢを実行することによって検索された他の製品（釣り竿３）の詳細データ及びシミュレーションイメージを、先に表示されていた釣り竿１の詳細データ及びシミュレーションイメージとともに、画面上に表示させることができ、それぞれについて、表示条件を適宜変更することができるようになっている。
【００２５】
このように、本実施形態に係る電子カタログは、釣り竿の性能（調子、耐荷重、安全率等）を、この表示プログラムＣによって様々な角度からシミュレーションできるようになっているため、製品を購入する前に、その性能を予め確認、予測することができる。また、複数の製品についてのシミュレーションイメージ等を一つの画面上に、同時に表示させることができるので、それらの性能等を比較対照しながら検証することができる。
【００２６】
尚、本実施形態においては、釣り竿を対象とする電子カタログについて説明したが、設計対象となるロッド製品は、釣り竿に限定されるものではなく、ゴルフクラブや、他のロッド製品を対象とする電子カタログとして構成することができる。
【００２７】
また、本実施形態における電子カタログは、前述の通り、コンピュータ読み取り可能な記憶媒体（例えば、コンパクトディスク）にて、或いは、コンピュータネットワークを介して提供されるソフトウェア（プログラム）であり、この発明の実施者であるロッド製品の販売者より、顧客等に配布され、顧客等の使用するコンピュータに導入されて使用されるものであるが、販売者のコンピュータに導入されるシステムとして構成することもできる。
【００２８】
この場合、検索プログラムＢは、コンピュータネットワークを介して接続された顧客等のコンピュータに対し、検索条件の入力及び送信を促し、これに応じて顧客等より送信された検索条件に基づいて検索を行い、表示プログラムＣは、検索プログラムＢの実行により抽出された製品の詳細データをもとに製品のイメージ、及び／又は、シミュレーションイメージを作成し、それらを顧客等のコンピュータへ送信して表示させ、顧客等から表示条件の変更を受け付けて各種のシミュレーションを行えるように構成される。
【００２９】
【発明の効果】
以上に説明したように、本発明に係るロッド製品の電子カタログを用いれば、顧客等において各種のシミュレーションを実行することができ、ロッド製品の性能等を、購入前に、様々な角度から検証、比較対照することができる。
【図面の簡単な説明】
【図１】本発明の第１の実施形態に係る電子カタログの表示プログラムＣによって画面上に表示されるイメージの出力例。
【図１】
2004164057.tif 000003